(57)【特許請求の範囲】
【請求項１】
液体が流通する液体流路が形成されると共に、前記液体流路を開放又は閉鎖する弁体が設けられた圧力室がその表面に形成された自己封止ユニット本体と、
前記圧力室を封止し、かつ、前記圧力室に作用する負圧に基づいて前記圧力室側に変位し、この変位を前記弁体に伝達することにより前記弁体を移動させて前記液体流路を開放させるフィルムとを備えた自己封止ユニットであって、
前記圧力室に臨み、前記フィルムとは固着されずに前記フィルムの前記変位を前記弁体に伝達する受圧板が設けられ、該受圧板は、その基端部が前記自己封止ユニット本体に固定されて、その一端側が揺動可能であり、
前記受圧板が前記基端部側に軸部を有し、前記圧力室の底面には、前記フィルムに向かって、前記受圧板よりも前記フィルム側に向かって突出すると共に、前記受圧板の前記軸部に隣接した領域の、前記軸部の長手方向両端側を挟むように一対の突出部材が設けられ、該一対の突出部材と、前記圧力室上の前記フィルムとが固着されて前記軸部を軸支することを特徴とする自己封止ユニット。
【請求項２】
前記受圧板の前記圧力室底面側には、突起が設けられていることを特徴とする請求項１記載の自己封止ユニット。
【請求項３】
請求項１又は２に記載の自己封止ユニット、及び、液体を噴射するノズル開口と、該ノズル開口に連通すると共に、前記自己封止ユニットの液体流路と連通する流路内の圧力発生室に圧力変化を生じさせて、前記ノズル開口から液体を噴射させる圧力発生手段とを備えた液体噴射ヘッドを備えたことを特徴とする液体噴射ヘッドユニット。
【請求項４】
請求項３に記載の液体噴射ヘッドユニットを備えたことを特徴とする液体噴射装置。
【発明の詳細な説明】
【技術分野】
【０００１】
本発明は自己封止ユニット、液体噴射ヘッドユニット及び液体噴射装置に関する。
【背景技術】
【０００２】
液体噴射ヘッドの代表例として、例えば圧電素子の変位により圧力発生室内のインクに作用する圧力を利用してノズル開口からインク滴を吐出するインクジェット式記録ヘッドが知られている。従来技術に係るインクジェット式記録ヘッドでは、インクが充填されたインクカートリッジ等の液体源から供給されたインクを圧電素子や発熱素子等の圧力発生手段を駆動させることによりノズルから吐出させている。例えば、インクカートリッジにインク供給針を挿入することでインク供給針の導入孔からインクカートリッジ内のインクを液体噴射ヘッドの共通の液体室であるリザーバーに導入している。
【０００３】
この種のインクジェット式記録ヘッドの中には、インクカートリッジ等の液体供給源からインクジェット式記録ヘッドにインクを供給する流路の途中に設けた自己封止ユニットと組み合わせてインクジェット式記録ヘッドユニットを構成したものもある（特許文献１参照）。かかるインクジェット式記録ヘッドユニットの自己封止ユニットは、ノズル開口からインク滴が吐出されることによりリザーバーの内部が負圧になったとき弁体を開いてインクカートリッジからのインクをインクジェット式記録ヘッドのリザーバーに供給する。このため、自己封止ユニットは、弁体が配設された流路の一部であり、且つ前記負圧が作用する圧力室を、インクの流路が形成された自己封止ユニット本体に形成している。ここで、圧力室はその開口部をフィルムで覆うことにより形成してある。かくして、圧力室内に作用する負圧によりフィルムが圧力室側に撓むことにより弁体を押圧し、この押圧力により弁体が移動して流路を開くようになっている。
【０００４】
また、圧力室に設置される弁体としては、圧力室内に配された受圧板とフィルムとが熱溶着され、フィルムと受圧板とが作動することで、弁体が作動するものが知られている（特許文献２参照）。
【先行技術文献】
【特許文献】
【０００５】
【特許文献１】特開２００９−１８４２０２号公報
【特許文献２】特開２００８−２３０１９６号公報
【発明の概要】
【発明が解決しようとする課題】
【０００６】
特許文献２に示す弁体では、受圧板とフィルムとが溶着されていて、受圧板がこのフィルムと受圧板の後方のバネでのみ支持されていたため、フィルムの変形時において、受圧板の姿勢、即ち受圧板の変位状態が安定しなかった。これにより、弁体が開状態となるときの圧力である作動圧が各自己封止ユニットにおいて異なってしまう。
【０００７】
特に、特許文献１に示すように弁体が設置された圧力室の形状が円形ではない場合には、負圧時におけるフィルムの変形が不均一であるので、これにより受圧板の姿勢がより安定しないという問題がある。また、このような各自己封止ユニットの作動圧のばらつきは、これを用いた液体噴射ヘッドのインク吐出速度や吐出された液滴の重量ばらつきの原因となる問題がある。
【０００８】
なお、このような問題は、インクジェット式記録ヘッドユニットに限らず、インク以外の液体を噴射する液体噴射ヘッドユニットにおいても同様に存在する。
【０００９】
本発明は、上記従来技術に鑑み、所望の作動圧で弁体を作動できる自己封止ユニット、これを用いた液体吐出速度や吐出された液滴の重量ばらつきが抑制された液体噴射ヘッドユニット及び液体噴射装置を提供することを目的とする。
【課題を解決するための手段】
【００１０】
上記課題を解決する本発明の態様は、液体が流通する液体流路が形成されると共に、前記液体流路を開放又は閉鎖する弁体が設けられた圧力室がその表面に形成された自己封止ユニット本体と、前記圧力室を封止し、かつ、前記圧力室に作用する負圧に基づいて前記圧力室側に変位し、この変位を前記弁体に伝達することにより前記弁体を移動させて前記液体流路を開放させるフィルムとを備えた自己封止ユニットであって、前記圧力室に臨み、前記フィルムとは固着されずに前記フィルムの前記変位を前記弁体に伝達する受圧板が設けられ、該受圧板は、その基端部が前記自己封止ユニット本体に固定されて、その一端側が揺動可能であり、前記受圧板が前記基端部側に軸部を有し、前記圧力室の底面には、前記フィルムに向かって、前記受圧板よりも前記フィルム側に向かって突出すると共に、前記受圧板の前記軸部に隣接した領域の、前記軸部の長手方向両端側を挟むように一対の突出部材が設けられ、該一対の突出部材と、前記圧力室上の前記フィルムとが固着されて前記軸部を軸支することを特徴とする自己封止ユニットにある。
かかる態様では、受圧板とフィルムとが固着されていないことから、フィルムが圧力に応じて自由に動くことができる。これにより、フィルムに反力が作用することによる作動圧のばらつき要因を減少できる。かつ、受圧板が一端側が揺動可能ないわゆる片持ち構造とされていることから、受圧板とフィルムとが固着されていなくても受圧板が支持されて姿勢が安定する。従って、本発明の自己封止ユニットは、所望の作動圧で弁体を作動できる。
また、受圧板が軸部を有し、突出部材とフィルムとが固着されて軸部を軸支することで、部品点数を増やすことなく、受圧板を簡易に片持ち構造とすることができる。
ここで、前記受圧板の前記圧力室底面側には、突起が設けられていることが好ましい。これによれば、突起を設けることで、受圧板が揺動しすぎることを抑制できる。
さらに、本発明の他の態様は、上記態様の自己封止ユニット、及び、液体を噴射するノズル開口と、該ノズル開口に連通すると共に、前記自己封止ユニットの液体流路と連通する流路内の圧力発生室に圧力変化を生じさせて、前記ノズル開口から液体を噴射させる圧力発生手段とを備えた液体噴射ヘッドを備えたことを特徴とする液体噴射ヘッドユニットにある。
かかる態様では、作動圧のばらつきを抑制した自己封止ユニットを有することで、本発明の液体噴射ヘッドユニットは、液体吐出速度や吐出された液滴の重量ばらつきが抑制されている。
また、本発明の他の態様は、上記態様の液体噴射ヘッドユニットを備えたことを特徴とする液体噴射装置にある。
かかる態様では、液体吐出速度や吐出された液滴の重量ばらつきが抑制された液体噴射ヘッドユニットを有することで、本発明の液体噴射装置は、液体噴射特性が向上する。
また、他の態様の自己封止ユニットは、液体が流通する液体流路が形成されると共に、前記液体流路を開放又は閉鎖する弁体が設けられた圧力室がその表面に形成された自己封止ユニット本体と、前記圧力室を封止し、かつ、前記圧力室に作用する負圧に基づいて前記圧力室側に変位し、この変位を前記弁体に伝達することにより前記弁体を移動させて前記液体流路を開放させるフィルムとを備えた自己封止ユニットであって、前記圧力室に臨み、前記フィルムとは固着されずに前記フィルムの前記変位を前記弁体に伝達する受圧板が設けられ、該受圧板は、その基端部が前記自己封止ユニット本体に軸支されて、その一端側が揺動可能であることを特徴とする。本発明においては、受圧板とフィルムとが固着されていないことから、フィルムが圧力に応じて自由に動くことができる。これにより、フィルムに反力が作用することによる作動圧のばらつき要因を減少できる。かつ、受圧板が一端側が揺動可能ないわゆる片持ち構造とされていることから、受圧板とフィルムとが固着されていなくても受圧板が支持されて姿勢が安定する。従って、本発明の自己封止ユニットは、所望の作動圧で弁体を作動できる。
【００１１】
ここで、前記受圧板が前記基端部側に軸部を有し、前記圧力室の底面には、前記フィルムに向かって、前記受圧板よりもフィルム側に向かって突出すると共に、前記受圧板の前記軸部に隣接した領域の、前記軸部の長手方向両端側を挟むように一対の突出部材が設けられ、該一対の突出部材と、前記圧力室上の前記フィルムとが固着されて前記軸部を軸支することが好ましい。これにより、部品点数を増やすことなく、受圧板を簡易に片持ち構造とすることができる。
【００１２】
前記受圧板の前記圧力室底面側には、突起が設けられていることが好ましい。突起を設けることで、本発明においては、受圧板が揺動しすぎることを抑制できる。
【００１３】
本発明の液体噴射ヘッドユニットは、前記いずれかの自己封止ユニット、及び、液体を噴射するノズル開口と、該ノズル開口に連通すると共に、前記自己封止ユニットの液体流路と連通する流路内の圧力発生室に圧力変化を生じさせて、前記ノズル開口から液体を噴射させる圧力発生手段とを備えた液体噴射ヘッドを備えたことを特徴とする。作動圧のばらつきを抑制した自己封止ユニットを有することで、本発明の液体噴射ヘッドユニットは、液体吐出速度や吐出された液滴の重量ばらつきが抑制されている。
【００１４】
本発明の液体噴射装置は、前記したいずれかの液体噴射ヘッドユニットを備えたことを特徴とする。液体吐出速度や吐出された液滴の重量ばらつきが抑制された液体噴射ヘッドユニットを有することで、本発明の液体噴射装置は、液体噴射特性が向上する。
【図面の簡単な説明】
【００１５】
【図１】インクジェット式記録装置の概略構成図である。
【図２】自己封止ユニット及びヘッドの正面図である。
【図３】自己封止ユニットの外観図である。
【図４】図２の平面図である。
【図５】図２中のＶ−Ｖ線矢視図である。
【図６】弁体が閉状態時の図５の圧力室部分の概略断面図である。
【図７】弁体が開状態時の図５の圧力室部分の概略断面図である。
【発明を実施するための形態】
【００１６】
図１には本発明の一実施形態例に係るインクジェット式記録ヘッドを備えたインクジェット式記録装置の概略構成、図２には自己封止ユニット及びヘッドの正面視、図３には自己封止ユニットの外観、図４には図２の平面視、図５には図２中のＶ−Ｖ線矢視を示してある。
【００１７】
図１に基づいてインクジェット式記録装置を説明する。同図に示すように、液体噴射装置としてのインクジェット式記録装置１は液体噴射ヘッドとしてのインクジェット式記録ヘッド（以下、ヘッドという）４を有している。ヘッド４は、インクカートリッジ２が搭載されるキャリッジ３に固定されている。キャリッジ３は上部に開放する箱型をなし、記録紙Ｓと対面する面（下面）に記録ヘッド４のノズル面が露呈するよう取り付けられると共に、インクカートリッジ２が収容されるようになっている。そして、このインクカートリッジ２からのインクが図示しない自己封止ユニットを介してヘッド４に供給される。
【００１８】
キャリッジ３はタイミングベルト５を介してステッピングモーター６に接続され、記録紙Ｓの紙幅方向（主走査方向）に往復移動するようになっている。これにより、キャリッジ３を移動させながら記録紙Ｓの上面にインク滴を吐出させて記録紙Ｓに画像や文字をドットマトリックスにより印刷するようになっている。
【００１９】
図示のヘッド４には、インクカートリッジ２からインクをヘッド４に供給するための流路が形成された流路形成部材を兼用する自己封止ユニット（図１には図示せず）が備えられている。なお、図１の例では、キャリッジ３に液体源としてのインクカートリッジ２が収容される例を挙げて説明したが、インクカートリッジ２がキャリッジ３とは別の場所に収容され、供給管を介してインクがヘッド４の流路形成部材に圧送される構成のインクジェット式記録装置であっても本発明を適用することが可能である。
【００２０】
次に、図２に基づいてヘッド４を説明する。ヘッド４の上部には、詳しくは後述する自己封止ユニット１０が設けられ、また、ヘッド４の下部には、ノズルプレート８が設けられている。ヘッド４には、図示しないヘッド流路が形成されており、ヘッド流路は、インクを貯留するリザーバー室と、圧力発生手段により圧力が発生する圧力発生室とを備え、圧力発生室は、ヘッド４の下部にノズルプレート８に形成されたノズル開口に連通している。自己封止ユニット１０からのインクがヘッド流路に供給されてヘッド流路に満たされて圧電素子等の圧力発生手段により圧力を発生させることにより圧力発生室内のインクがノズル開口からインク滴を吐出するようになっている。本実施形態において液体噴射ヘッドユニット９は、このヘッド４と自己封止ユニット１０とからなる。そして、自己封止ユニット１０にはインクカートリッジ２からインクが供給されるようになっている。例えば、供給管やインク供給針を介してインクカートリッジ２から自己封止ユニット１０にインクが供給される。
【００２１】
図２〜図７に基づいて自己封止ユニット１０を具体的に説明する。これらの図に示すように、自己封止ユニット１０は矩形状の盤面を有する直方体ブロック形状とされ、樹脂製のフィルム２０を樹脂製の本体２１の両方の盤面に熱溶着して封止することで各盤面に盤面インク流路１１が形成されている。即ち、本体２１の各盤面には、盤面インク流路１１が壁面部１２により画成され形成されている。盤面インク流路１１は、後述するように互いに対称であり、それぞれ主流路２４を有する。主流路２４は、入口部２５から出口部２６に向けて（インクの流れ方向に向けて）幅広状態とされ（幅広部）、出口部２６には第一のフィルター２７が備えられている。第一のフィルター２７は、幅広状態の出口部２６を包含する面積で盤面の広い部分に配され、大面積が確保されている。第一のフィルター２７では、主に、後述する弁体３５を流通したインクに含まれる異物がトラップされる。
【００２２】
第一のフィルター２７はインクの流れ方向に沿った面（盤面と平行な面）を有し、主流路２４を流通したインクは盤面の外側から第一のフィルター２７を通って本体２１の内側の下部に送られ、２つの排出孔２８からヘッド４（図２参照）に送られる。主流路２４に送られたインクは、狭い流路から広い流路に広がって（出口部の幅方向に広がって）端部の排出孔２８からヘッド４（図２参照）の一つのリザーバー室に送られる。つまり、それぞれの主流路２４に対して一つのリザーバー室につながる２つの排出孔２８が設けられ、一つの自己封止ユニット１０には４つの排出孔２８が設けられている（図４参照）。
【００２３】
自己封止ユニット１０の上部の端部にはインク導入孔３１がそれぞれ設けられ、インク導入孔３１にはインクカートリッジ２からインクがそれぞれ供給される。一方（図４中左側）のインク導入孔３１に供給されたインクは、インク流路３０を経由して図２に示した主流路２４の入口部２５に送られ、他方（図４中右側）のインク導入孔３１に供給されたインクは、インク流路３０を経由して図２の紙面の裏側に設けられた主流路２４の入口部２５に送られる。即ち、本実施形態の自己封止ユニット１０においては、対称な二つのインク流路３０が設けられている。
【００２４】
インク導入孔３１につながるインク流路３０は、図４中矢印Ａで示すように、一方（図４中左側）のインク導入孔３１に供給されたインクが、図４、図５中上側に流通した後下側に向かい、フィルター室３３に設けられた第二のフィルター３２を流通して図２に示した圧力室３４に送られるように形成されている。また、インク流路３０は、図４中矢印Ｂで示すように、他方（図４中右側）のインク導入孔３１に供給されたインクが、図４、図５中下側に流通した後、図２に示したフィルター室３３に設けられた第二のフィルター３２を流通して図４、図５中上側に向かい、図２の紙面の裏側に存在する圧力室３４に送られるように形成されている。第二のフィルター３２は盤面と平行な面を有し、第一のフィルター２７と平行な状態で配されている。
【００２５】
インク導入孔３１（第二のフィルター３２）と圧力室３４（主流路２４の入口部２５）の間のインク流路３０には弁体３５がそれぞれ設けられ、ヘッド４（図２参照）のリザーバー室の圧力が低下した際に、即ち、インクが吐出されて主流路２４側の圧力が相対的に低下した際に弁体３５がインクの流通を許容するように作動する。
【００２６】
すなわち、所定の圧力でインクがインク導入孔３１から供給される状態にある場合に、ヘッド４（図２参照）のリザーバー室にインクが貯留されている際、弁体３５は閉状態にされ、インクの吐出により後流側の圧力が低下すると、これに伴い発生する負圧力により弁体３５が開状態にされてインクが供給される。
【００２７】
ここで、弁体３５について図６を用いて説明する。弁体３５は、軸部４０と、軸部４０の一端側に軸部４０と一体となって形成された円板部４１とからなり、軸部４０が、圧力室３４に形成された貫通孔４２に挿通されている。円板部４１の貫通孔４２側には、円板部４１を覆うように貫通孔４２の周囲をシールするシール部材４３が設けられている。円板部４１の背面（第二のフィルター３２側）には、バネ４４の一端が接続されており、バネ４４の他端は、バネ座４５に接続されている。バネ座４５は、フィルター室３３の底面部を構成しており、バネ座４５には、インクの流通する流通孔４６が形成されている。このようなバネ４４は、バネ座４５がフィルター室３３に固定されていることから、弁体３５を圧力室３４側のフィルム２０側に付勢する。この場合には、シール部材４３と圧力室３４の底面とにより、弁体３５が閉状態となる。また、圧力室３４には、受圧板４７が設けられており、受圧板４７は、軸部４０と当接するように設けられている。受圧板４７は、本実施形態では、フィルム２０には固着されていない。即ち、本実施形態では、受圧板４７は、フィルム２０が圧力室３４側に変位した場合にフィルム２０が受圧板４７に当接することにより、フィルム２０と同時に圧力室３４側に変位するものであり、受圧板４７が変位することで弁体３５に当接して弁体３５を移動させる。
【００２８】
本実施形態では、受圧板４７はフィルム２０に固着されていないことから、受圧板４７を安定して変位させるために、受圧板４７は、本実施形態では片持ち構造となっている。具体的に説明する。受圧板４７は、本実施形態においては、正面視において板状の受圧板４７の一端部側を半円状としたものであり、その他端側である基端部が断面視において略円形状である軸部４７ａとなって圧力室３４に軸支された片持ち構造となっている。受圧板４７は、この軸部４７ａよりも先端側に、軸部４８ａと隣接して切り欠きされた切り欠き部４７ｂが形成されている。この切り欠き部４７ｂには圧力室３４の底面からフィルム２０側へ突出された一対のリブ（突出部材）４８が、受圧板４７の幅方向（軸部４７ａの長手方向）の両側を挟むように設けられている。なお、リブ４８は圧力室３４と一体となって形成されている。リブ４８は、断面視において受圧板４７よりも高くなるように構成され、その上面でフィルム２０に溶着され固定されている。このリブ４８とフィルム２０とから軸受部が構成されており、受圧板４７は、この軸受部から外れずに軸支されて、軸部４７ａを軸中心としてその先端部が揺動する。即ち、受圧板４７は、軸部４７ａを軸中心として先端部が揺動可能な片持ち構造となっている。
【００２９】
このように受圧板４７は基端部側で支持されているので、安定した姿勢で作動することが可能である。従って、圧力室３４が平面視において円形状ではなく、各自己封止ユニット１０においてフィルムの撓みが一定ではなくても、受圧板４７は基端部側で軸支されているので、安定した姿勢で、即ち常に同一の圧力に対して同一の軌跡を描くように作動することができる。これにより、本実施形態の自己封止ユニット１０においては、所望の作動圧で弁体３５が作動することが可能であり、ヘッド４は、安定して液体を噴射することができる。
【００３０】
このような自己封止ユニット１０においては、フィルム２０は、インクの吐出により後流側の圧力が低下して圧力室３４内の圧力が自己封止ユニットの外気圧よりも低い圧力に、つまり圧力室３４内に負圧が作用すると、圧力室３４側に変位し、この変位を受圧板４７を介して弁体３５に伝達する。この場合に、図７に示すように、受圧板４７は、フィルム２０の変位を受けて軸部４７ａを軸中心として貫通孔４２側に変位する。そして、この変位が弁体３５の軸部４０に伝達される。そして、弁体３５に作用するバネ４４の付勢力に抗し、受圧板４７を介して弁体３５を移動させることによりインク流路と圧力室３４との間を開状態とする。
【００３１】
さらに、本実施形態においては、負圧が作用しない状態において受圧板４７とフィルム２０とが離間されて設けられており、両者は固着されていない。従って、よりフィルム２０が負圧に応じて自由に動くことができ、作動圧のばらつき要因を排除でき、より安定した作動圧を得ることができる。即ち、より作動圧のばらつきを抑制して所望の作動圧で弁体３５を作動させることが可能であり、これによりヘッド４は、より安定して液体を噴射することができる。また、このように受圧板４７とフィルム２０とが固着されていないことにより、フィルム２０が負圧開放時に戻りやすい。即ち、受圧板４７とフィルムとが固着されているとしわが不均一に寄ってしまってフィルムが一方向に変形しにくいことがあり、フィルムの作動が規制されてしまう。これにより負圧時に第二のフィルター３２側に変位したフィルムが負圧開放時に戻りにくくなってしまうことがある。特に、本実施形態のように受圧板４７を片持ち構造とする場合には、先端部側にフィルムの作動が規制された領域があると、所望の負圧で弁体が作動できないことも考えられる。しかし、本実施形態では上述のように受圧板４７とフィルム２０とが固着されていないので、フィルム２０にしわが寄らず、これによりフィルム２０が自由に動くことができ、負圧開放時においても作動圧のばらつき要因を排除でき、安定した作動圧を得ることができる。なお、このように受圧板４７とフィルム２０とが固着されていないと、受圧板は作動時において同一圧力に対して同一軌跡を描いて作動しにくいが、本実施形態においては、受圧板４７は片持ち構造とされていることから、受圧板４７はフィルム２０と固着されていなくても作動時に姿勢が安定する。
【００３２】
本実施形態では、圧力室３４上のフィルム２０は、撓んで、フィルム２０と壁面部１２との接合面よりも下流側に凸となっており、圧力室３４の壁面部１２上に溶着されている。即ち、圧力室３４上のフィルム２０は、本実施形態においては、負圧が作用していない場合に曲面状である。フィルム２０が撓んだ弛緩状態でなく、フィルムにテンションがかかった緊張状態であると、負圧が作用するとフィルム２０が下流側に引っ張られることでテンションに抗するのでフィルム２０に反力が発生する。しかしながら、本実施形態においては、フィルム２０は撓んだ状態であるので、負圧が作用して下流側に引っ張られたとしても反力が発生しない。
【００３３】
このように、本実施形態においては、負圧が作用しない状態でフィルム２０が撓んでいることから、負圧が作用してフィルム２０が下流側に引っ張られたとしても反力が発生しない。この結果、本実施形態の自己封止ユニット１０では、フィルム２０の反力を設計時に考慮する必要がなく、より作動圧のばらつきを抑制できる。
【００３４】
また、受圧板４７の先端の裏面側、即ち貫通孔４２側には突起４９が設けられている。突起４９は、受圧板４７が軸部４７ａを軸として揺動した場合に、受圧板４７が第二のフィルター３２側に揺動しすぎないように規制している。これにより、フィルム２０が自由に動くことに起因して受圧板４７が揺動しすぎて、弁体３５を押圧しすぎることを抑制している。
【００３５】
また、本実施形態例の自己封止ユニット１０の主流路２４にはインクの搬送方向（図２中上下方向）に延びる段差部としての棚部３６が形成されている。棚部３６は主流路２４の端部（幅広部の両側端部）に形成され、深さが浅くされた状態になっている。主流路２４の端部に棚部３６を設けたことにより、主流路２４に気泡が混入した際に、入口部２５寄りの狭い流路に気泡が浮遊して深さが浅くされた棚部３６に気泡が侵入することが阻止される。このため、主流路２４に気泡が混入しても、インクは棚部３６を流通してヘッド４（図２参照）に供給される。
【００３６】
本発明の実施形態は、上述した実施形態に限定されない。例えば、受圧板４７の裏面側、即ち第二のフィルター３２側にバネを設けて付勢してもよい。また、受圧板４７の片持ち構造についても、その構造は限定されない。即ち、本実施形態においては、受圧板４７は軸部４７ａを有し、受圧板４７は、フィルム２０からの変位が伝達されて軸部４７ａを軸中心として軸部４７ａと共に揺動するが、これに限定されない。例えば、軸部４７ａが固定されており、受圧板４７は軸部４７ａの周りを揺動するように構成されていてもよい。また、例えば、リブ４８とフィルム２０とが固着されて軸受部としたが、軸受部もこれに限定されず、例えば、圧力室３４の軸部４７ａに対向する位置に軸受けとしての溝部を設けるようにしてもよい。また、本実施形態では、軸受部を構成するリブ４８を矩形状としたが、この形状も限定されず、フィルム２０に向かって突出していればよく、例えば正面視において円形状としてもよい。
【００３７】
上述した実施形態においては、液体噴射ヘッドの一例としてインクジェット式記録ヘッドを挙げて説明したが、本発明は、広く液体噴射ヘッド全般を対象としたものであり、インク以外の液体を噴射する液体噴射ヘッドにも勿論適用することができる。その他の液体噴射ヘッドとしては、例えば、プリンター等の画像記録装置に用いられる各種の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等が挙げられる。
【符号の説明】
【００３８】
１  インクジェット式記録装置、  ２  インクカートリッジ、  ４  記録ヘッド、  １０  自己封止ユニット、  ２０  フィルム、  ２１  本体、  ２４  主流路、  ２５  入口部、  ２６  出口部、  ２７  第一のフィルター、  ２８  排出孔、  ３０  インク流路、  ３１  インク導入孔、  ３２  第二のフィルター、  ３４  圧力室、  ３５  弁体、  ４７  受圧板、  ４７ａ  軸部、  ４８  リブ、  ４９  突起
【図１】
0005578316.tif 000002
【図２】
0005578316.tif 000003
【図３】
0005578316.tif 000004
【図４】
0005578316.tif 000005
【図５】
0005578316.tif 000006
【図６】
0005578316.tif 000007
【図７】
0005578316.tif 000008